(57)【特許請求の範囲】
【請求項１】
少なくとも前面に吸込み口を備えるとともに、この吸込み口の下部側に吹出し口を備えた室内機本体と、
この室内機本体内に収容され、上記前面吸込み口に対向して配置される熱交換器と、
上記前面吸込み口から室内空気を吸込んで上記熱交換器に導き、熱交換させたあと上記吹出し口を介して室内へ送風する送風機とを具備する空気調和機の室内機において、
上記前面吸込み口に開閉自在に設けられ、前面吸込み口を開放した状態で、上記室内機本体前面との間隙から室内空気を吸込ませる全面板体からなるフラットパネルと、
上記吹出し口に取付けられ上記室内機本体の長手方向に沿って複数に分割される上部水平ルーバおよび、これら上部水平ルーバの下部側に並行して取付けられる下部水平ルーバと、
上記フラットパネルを開放制御したうえで、上記一方の分割上部水平ルーバに対し、上記熱交換器と熱交換して上記吹出し口から吹出された熱交換空気をフラットパネルの下端部内面に衝突させ、さらにフラットパネル内面上部へ導いてから再び熱交換器下部に流通するよう、室内機本体内で熱交換空気をショートサーキット状態に循環制御するとともに、他方の分割上部水平ルーバに対して、吹出し口から吹出された熱交換空気を室内へ吹出す方向に向くよう制御する制御手段と、
を具備したことを特徴とする空気調和機の室内機。
【請求項２】
上記熱交換器は、除湿運転時に再熱器となる第１の熱交換器部および蒸発器となる第２の熱交換器部と、これら第１の熱交換器部と第２の熱交換器部とを連通する冷媒管に設けられる除湿用絞り機構とから構成され、
上記第１の熱交換器部を、上記第２の熱交換器部の上部側に備えたことを特徴とする請求項１記載の空気調和機の室内機。
【請求項３】
上記制御手段は、
冷房運転もしくは暖房運転が選択されたとき、上記フラットパネルを開放制御したうえで、上記第１の分割上部水平ルーバを制御することで、第１の分割上部水平ルーバの吹出し方向と第２の分割水平ルーバの吹出し方向にある居住空間部分の空調温度を異ならせ、
除湿運転が選択されたとき、上記フラットパネルを開放制御したうえで、上記第１の分割上部水平ルーバを制御することで、第１の分割上部水平ルーバの吹出し方向にある居住空間部分を比較的高い温度で除湿し、第２の分割水平ルーバの吹出し方向にある居住空間部分を比較的低い温度で除湿する
ことを特徴とする請求項２記載の空気調和機の室内機。
【請求項４】
上記下部水平ルーバは、室内機本体の長手方向に沿って複数に分割され、
上記制御手段は、上記分割した下部水平ルーバを、それぞれ独立して制御することを特徴とする請求項１記載の空気調和機の室内機。
【発明の詳細な説明】
【技術分野】
【０００１】
本発明は、熱交換器で熱交換した空気を吹出し口から室内へ送風案内するルーバ構造を改良した空気調和機の室内機に関する。
【背景技術】
【０００２】
室外機とともに空気調和機を構成する室内機は、筐体である室内機本体の前面と上面に吸込み口を備えている。それぞれの吸込み口から室内空気が吸込まれ、吸込み口に対向して配置される熱交換器に導かれる。この熱交換器で熱交換したあとの熱交換空気は、前面吸込み口の下部側に沿って設けられる吹出し口から室内へ吹出される。  
一般的に、上記吹出し口には長手方向に沿って上下に一対の水平ルーバが設けられ、これら水平ルーバの奥側に複数枚の縦ルーバが長手方向に所定間隔を存して並行に設けられる。上下部水平ルーバは互いに並行して同一方向に向けられ、縦ルーバはたとえば中間部から左右に二分される複数枚ずつのユニットになっている。
【０００３】
そのため、左右の縦ルーバユニットを互いに逆方向に向けて、熱交換空気を左右に異なる方向に吹出し案内したとしても、上記水平ルーバは互いに並行して風向を変えるので、左右の吹出し方向においてはほとんど同一の熱交換温度であり、充分な温度差がとれないものである。  
そこで本出願人は、［特許文献１］において、少なくとも２つの互いに異なる温度ゾーンを作れる空気調和装置を提供するに至った。すなわち、上下部水平ルーバをそれぞれ独立して風向調整ができ、縦ルーバの左右ユニットもそれぞれ独立して風向調整を可能とする制御手段を備えている。
【特許文献１】特開２００３−２４０３２５号公報
【発明の開示】
【発明が解決しようとする課題】
【０００４】
上述した［特許文献１］によれば、たとえばリビングスペースで床の比較的近くに着席する人の空間を集中的に空調する一方で、リビングスペースとは逆側の部位にあるダイニングスペースで床から離れた部位に着席する人の空間を集中的に空調し、かつ互いのスペースに対する空調温度を異ならせる制御が可能となる。  
しかしながら、このような２温度コントロールを可能とするのは冷房運転モードに限られ、他の運転モードでは上述の制御ができずに有効性が低い。上記室内熱交換器を二分割し、これらの間に開閉弁とキャピラリーチューブもしくはパルスモータを設けるとともに、複雑な制御手段が必要であり、コストに悪影響を及ぼす。そして、室内熱交換器を二分割している反面、室内空気を再熱除湿することの考えはない。
【０００５】
本発明は上記事情にもとづきなされたものであり、その目的とするところは、比較的簡素な構成でコストに与える影響を抑制しながら、運転モードに係らずに熱交換空気の吹出し風向および熱量を異ならせ、居住空間の条件が異なる部分に対して理想の空調ができるようにした空気調和機の室内機を提供しようとするものである。
【課題を解決するための手段】
【０００６】
上記目的を満足するため本発明の空気調和機の室内機は、少なくとも前面に吸込み口と下部側に吹出し口を備えた室内機本体であり、この室内機本体内に前面吸込み口に対向して熱交換器を配置し、前面吸込み口から室内空気を吸込んで熱交換器に導き吹出し口を介して室内へ送風する送風機を具備し、
上記前面吸込み口に全面板体からなるフラットパネルを開閉自在に設け、前面吸込み口を開放した状態で室内機本体前面との間隙から室内空気を吸込ませ、
上記吹出し口に室内機本体の長手方向に沿って複数に分割した上部水平ルーバおよび上部水平ルーバの下部側に並行して下部水平ルーバを取付け、
フラットパネルを開放制御したうえで、一方の分割上部水平ルーバに対し、熱交換器と熱交換して吹出し口から吹出された熱交換空気をフラットパネルの下端部内面に衝突させ、さらにフラットパネル内面上部へ導いてから再び熱交換器下部に流通するよう、室内機本体内で熱交換空気をショートサーキット状態に循環制御し、他方の分割上部水平ルーバに対して吹出し口から吹出された熱交換空気を室内へ吹出す方向に向くよう制御する制御手段を具備した。
【発明の効果】
【０００７】
本発明によれば、比較的簡素な構成でコストに与える影響を抑制しながら、運転モードの種類に係らずに吹出し口から吹出される熱交換空気の吹出し風向と熱量を異ならせ、居住空間部分を理想の空調をなす効果を奏する。
【発明を実施するための最良の形態】
【０００８】
以下、本発明の実施の形態を、図面にもとづいて説明する。  
図１は空気調和機を構成する室内機の外観斜視図、図２は室内機の概略の縦断面図である。  
図中１は、前面板１Ａと後本体１Ｂとから構成される筐体からなる室内機本体である。この室内機本体１は、側面視で湾曲成される前面部を備え、上面部と下面部および左右両側部は、ほぼ平板状をなしている。  
室内機本体１の上面部に上面吸込み口２が設けられ、前面部に前面吸込み口３が設けられる。そして、前面吸込み口３の下部側に沿って吹出し口４が設けられる。上面吸込み口２にはグリル５が嵌め込まれていて、常時、開口状態にある。前面吸込み口３にはフラットパネル６が開閉自在に取付けられる。
【０００９】
上記フラットパネル６は、上端から下端に亘って湾曲成され、開口のない全面板体からなる。フラットパネル６の裏面側にはリンク式の開閉機構Ｋが取付けられ、この図示しない駆動源は制御部（制御手段）Ｓと電気的に接続される。すなわち上記制御部Ｓは、後述するようにフラットパネル６の前面吸込み口３に対する位置姿勢を制御できる。  
上記吹出し口４には、水平ルーバ７，８が上下に並行して取付けられている。図１にのみ示すように、上部水平ルーバ７は吹出し口４の長手方向（幅方向）の略中間部から左右に分割された別個のルーバＡ１，Ａ２から構成される。室内機本体１に向って左側の上部水平ルーバを、「第１の上部水平ルーバＡ１」と呼び、右側の上部水平ルーバを、「第２の上部水平ルーバＡ２」と呼ぶ。
【００１０】
下部水平ルーバ８は、ここでは１枚ものであり、吹出し口４の長手方向の全長に亘って設けられる。この下部水平ルーバ８の長手方向と直交する前後方向寸法は、上部水平ルーバ７の前後方向寸法よりも大に形成される。なお、後述するように下部水平ルーバ８も上部水平ルーバ７と同様、吹出し口４の長手方向に沿って複数に分割してもよい。  
上部水平ルーバ７を構成する第１、第２の上部水平ルーバＡ１，Ａ２および、下部水平ルーバ８は、それぞれ図示しない駆動源を備えた駆動機構に連結されている。各ルーバＡ１，Ａ２，８の駆動源は上記制御部Ｓと電気的に接続され、それぞれ別個に回動制御されるようになっている。
【００１１】
室内機本体１内には、前側熱交換器部９Ａと後側熱交換器部９Ｂとで略逆Ｖ字状に形成される冷凍サイクル機器である室内熱交換器９が配置される。上記前側熱交換器部９Ａは、室内機本体１の前面から上面の一部に亘り所定間隙を存してほぼ平行に湾曲成される。後側熱交換器部９Ｂは、直状で斜めに傾斜して上面吸込み口２と対向する。  
なお、上記室内熱交換器９は、構造上は以上説明したように前側熱交換器部９Ａと後側熱交換器部９Ｂとからなり略逆Ｖ字状に形成されるが、冷凍サイクル上は後述するように構成されている。  
上記室内熱交換器９の前側熱交換器部９Ａの前面側には、電気集塵機１１が取付けられている。この電気集塵機１１は、上記制御部Ｓと電気的に接続され、本来の集塵動作をなすとともにオゾン発生装置として動作させることも可能である。
【００１２】
上記熱交換器９の前後側熱交換器部９Ａ，９Ｂの相互間で、かつ上記吹出し口４と対向して、上記制御部Ｓと電気的に接続される室内送風機１２が配置される。この室内送風機１２は、室内熱交換器９の幅方向寸法と略同一の軸方向寸法を備え、室内熱交換器９と対向して配置される横流ファンとファンモータとから構成される。  
上記前側熱交換器部９Ａの下端部は前ドレンパン１３ａ上に載り、後側熱交換器部９Ｂの下端部は後本体１Ｂと一体に形成される後ドレンパン１３ｂ上に載って、それぞれの熱交換器部９Ａ，９Ｂから滴下するドレン水を受け、図示しない排水ホースを介して外部に排水できるようになっている。  
前後ドレンパン１３ａ，１３ｂと近接した位置には、室内送風機１２のファンに対するノーズを構成し、かつ吹出し口４に亘って隔壁部材１４が設けられる。この隔壁部材１４と上記後本体１Ｂとで囲まれる空間が、ノーズと吹出し口４とを連通する送風路１５の一部となる。
【００１３】
すなわち、上記送風機１２の駆動にともなって室内機本体１内には、室内空気が上面吸込み口２および前面吸込み口３から上記吹出し口４へ導かれる送風路１５が形成される。上記送風路１５の中途部に室内熱交換器９と電気集塵機１１が配置され、送風路１５の末端部である吹出し口４の近傍部位に、図示しない縦ルーバユニットが設けられる。  
上記縦ルーバユニットも吹出し口４の長手方向の中間部を境にして、左右に２セット備えられている。それぞれ複数の縦ルーバが互いに並行して設けられていて、駆動源を備えた駆動機構に連結される。それぞれの駆動機構により各縦ルーバユニットのルーバは一斉に同一方向に向く。  
一方、上面吸込み口２および前面吸込み口３と、前側熱交換器部９Ａおよび後側熱交換器部９Ｂとの間にフィルタ１７が取付けられる。このフィルタ１７は、上記フラットパネル６を開放した状態で、吹出し口４の上端部からフラットパネル６の内面側に沿って挿着され、必要に応じて同部位から取外し自在である。
【００１４】
つぎに、上記フラットパネル６の位置姿勢について説明する。  
上記制御部Ｓはフラットパネル６に設けられるリンク式の開閉機構Ｋを制御して、図２に示すように、前面吸込み口３を閉成するとともに、パネル下端部６ａが吹出し口４の上部を覆うよう上部水平ルーバ７の前面に対する位置に変位させる。このフラットパネル６の位置姿勢を、「全閉モード」と呼ぶ。  
また、上記制御部Ｓは開閉機構Ｋを制御して、図１に示すように、フラットパネル６を前方でかつ上方へ移動して前面吸込み口３を大きく開放し、パネル上端６ｂを前面吸込み口３上端より高い位置とするとともに、パネル下端部６ａを吹出し口４の上端よりも高い位置に変位させる。このフラットパネル６の位置姿勢を、「全開モード」と呼ぶ。  
さらに、後述する作用時（図４および図５に示す）に、制御部Ｓは開閉機構Ｋを制御して、フラットパネル６を前面吸込み口３に対する閉成位置からわずかに前方へ離間させ、前面吸込み口３を小さく開放し、かつフラットパネル６全体を斜め姿勢となす。このフラットパネル６の位置姿勢を、「半開モード」と呼ぶ。
【００１５】
このような室内機に対して、室内機とともに空気調和機を構成する室外機は以下に述べるようになっている。  
図３は空気調和機の冷凍サイクル構成図である。  
室外機本体２０内には、圧縮機２１と、四方切換え弁２２と、室外熱交換器２３と、減圧装置である電子膨張弁２４が収容配置され、室内機本体１内の室内熱交換器９とともに、冷媒管Ｐを介してヒートポンプ式の冷凍サイクル回路Ｒを構成するよう連通される。  
上記室外熱交換器２３に対向して室外送風機２５が配置されていて、この室外送風機２５と、上記圧縮機２１、四方切換え弁２２および電子膨張弁２４は、上記制御部Ｓと電気的に接続され必要な制御信号を受けるようになっている。
【００１６】
一方、上記室内熱交換器９は、前側熱交換器部９Ａと後側熱交換器部９Ｂが冷媒管Ｐを介して直列に接続されてなる。後述する冷房運転時および除湿運転時に、冷媒は後側熱交換器部９Ｂに導入されて前側熱交換器部９Ａから導出され、暖房運転時に、冷媒は前側熱交換器部９Ａから導入されて後側熱交換器部９Ｂから導出される。  
そして、室内熱交換器９を構成する冷媒導通路の中間部に、除湿用絞り機構である除湿弁１０が設けられている。換言すれば、室内熱交換器９は上記除湿弁１０を介して２つの冷媒導通路を備えることになり、その一方を「第１の熱交換器部Ｕ」と呼び、他方を「第２の熱交換器部Ｄ」と呼ぶ。
【００１７】
上記第１の熱交換器部Ｕは、後側熱交換器部９Ｂの全部および前側熱交換器部９Ａの上下方向における略中間部分より上半分の部分から構成される。上記第２の熱交換器部Ｄは、前側熱交換器部９Ａの上下方向における略中間部分より下半分の部分から構成される。上記除湿弁１０は、前側熱交換器部９Ａの上下方向における略中間部分に設けられる。  
このようにして構成される空気調和機であって、再び図２に示すように、運転停止時はフラットパネル６が全閉モード位置にあり、前面吸込み口３を閉成する。フラットパネル下部６ａは上部水平ルーバ７の略前面にあって、下部水平ルーバ８とともに吹出し口４を閉成し、上部水平ルーバ７表面に対する塵埃の付着を防止する。
【００１８】
冷房運転を設定すると、制御部Ｓは電子膨張弁２４を絞り制御し、除湿弁１０を完全開放した状態で、圧縮機２１を駆動制御して冷凍サイクル運転を開始する。さらに、室外送風機２５とともに室内送風機１２を駆動する。上記室内送風機１２の駆動にともない、送風路１５に沿って室内空気が導びかれる。  
同時に、第１、第２の上部水平ルーバＡ１，Ａ２と下部水平ルーバ８の駆動機構を駆動する。フラットパネル６は全開モードの姿勢に制御して前面吸込み口３を完全開放する。図とは相違するが、第１、第２の上部水平ルーバＡ１，Ａ２および下部水平ルーバ８を略水平姿勢にして、吹出し口４を完全開放する。
【００１９】
室内空気は上面吸込み口２およびフラットパネル６の周縁と前面板１Ａとの隙間から前面吸込み口３を介して室内機本体１内に吸込まれ、送風路１５に沿って導かれる。その途中、電気集塵機１１に導かれて集塵され、室内熱交換器９に導かれてここを流通する冷媒と熱交換して冷気に変り、吹出し口４から室内へ吹出されて冷房作用を得られる。  
暖房運転が設定された場合は、四方切換え弁２２が切換る以外、除湿弁１０をはじめとする各構成部品は、基本的には冷房運転時と同様に制御される。室内熱交換器９で冷媒が凝縮して、ここを流通する室内空気が凝縮熱を吸収し、暖気に変って室内へ吹出され暖房作用を得られる。
【００２０】
なお、上述した冷房運転時と暖房運転時において、後述するようにフラットパネル６を半開モードの位置姿勢に設定したうえで、上部水平ルーバ７を構成する第１、第２の上部水平ルーバＡ１，Ａ２と、下部水平ルーバ８の姿勢を制御することで、熱交換空気の吹出方向および熱量を、吹出し口４の左右側部で異ならせることができる。  
図４（Ａ）（Ｂ）は、冷房運転時もしくは暖房運転時における送風方向の制御状態を説明する図である。なお説明すると、図４（Ａ）は第１の上部水平ルーバＡ１部位を断面にした図であり、図４（Ｂ）は第２の上部水平ルーバＡ２部位を断面にした図である。  
上記制御部Ｓは、図４（Ａ）に示すように第１の上部水平ルーバＡ１の駆動機構を制御して、このルーバＡ１を略水平方向に向ける。図に実線矢印で示すように、前面吸込み口３と上面吸込み口２から室内機本体１内に吸込まれる室内空気は、室内熱交換器９を流通して熱交換する。
【００２１】
このあと熱交換空気は、図に一点鎖線矢印に示すように、冷気もしくは暖気である熱交換空気となって送風機１２から下流側の送風路１５に導かれる。吹出し口４に到達した熱交換空気うち、第１の上部水平ルーバＡ１と吹出し口４上面との間から吹出される熱交換空気は、半開モード姿勢にあるフラットパネル６の下端部６ａ内面に衝突する。  
そして、フラットパネル６の傾斜姿勢にともなって上部へ向って流れ、前面吸込み口３と対向したところで、この前面吸込み口３から再び室内機本体１内に吸込まれる。熱交換空気は前側熱交換器部９Ａの下半分を構成する第２の熱交換器部Ｄを再び流通するが、このとき既に熱交換しているので、再度の熱交換はほとんどない。
【００２２】
前側熱交換器部９Ａを通過したあと再び送風路１５に導かれ、さらに第１の上部水平ルーバＡ１上面と吹出し口４上面との間から吹出されてフラットパネル６の下端部６ａ内面に衝突してから前面吸込み口３に沿って流れる。このようにして、熱交換空気はショートサーキット状態で循環するのみであり、室内への吹出しがほとんどない。
ただし、下部水平ルーバ８は斜め下方に傾斜するように姿勢が制御されていて、熱交換空気は第１の上部水平ルーバＡ１下面と下部水平ルーバ８上面との間および、下部水平ルーバ８下面と吹出し口４下面との間から室内へ吹出される。その結果、吹出し口４の向って左半分において室内へ吹出される熱交換空気の風量が制限される。
【００２３】
一方、図４（Ｂ）に示すように、吹出し口４の向って右半分において、制御部Ｓは第２の上部水平ルーバＡ２を下部水平ルーバ８と略並行となるよう、斜め下方の姿勢に回動制御する。そのため、送風路１５から吹出し口４に導かれる熱交換空気は、第２の上部水平ルーバＡ２と下部水平ルーバ８の向きに沿って吹出される。  
なお説明すると、フラットパネル６は半開モードとなっているが、第２の上部水平ルーバＡ２上面と吹出し口４上面との間に導かれる熱交換空気は、そのまま室内へ吹出される。さらに、第２の上部水平ルーバＡ２下面と下部水平ルーバ８上面との間と、下部水平ルーバ８下面と吹出し口４下面との間に導かれる熱交換空気も室内へ吹出される。
【００２４】
したがって、吹出し口４の向って右半分においては熱交換空気の風量制限がなく、室内熱交換器９で熱交換した空気の全てが円滑に室内へ吹出される。このような状況下においても、吹出し口４から室内へ吹出される際の熱交換空気の温度は、室内熱交換器９との熱交換温度に依存することには変りがない。  
しかしながら、吹出し口４の向って左半分においてはショートサーキットさせた分だけ、向って右半分よりも吹出し風量が少なくなる。そのため、吹出し口４から吹出される熱交換空気の熱量が左右部分で異なり、熱交換空気の到達距離が左右で相違して、吹出方向にある居住空間部分の空調温度を左右で異ならせることができる。
【００２５】
たとえば、居住空間の一側部にあるダイニングスペースの設定温度を低くし、他側部にあるリビングスペースの設定温度を高くする制御が可能である。この種の制御は、冷房運転時ばかりでなく四方切換え弁２２を切換えて暖房運転をなす際にも行うことができて、有効利用の向上を図れる。  
しかも、少なくとも上部水平ルーバ７を左右に分割して、それぞれの分割上部水平ルーバＡ１，Ａ２を独立して回動制御することと、ここではフラットパネル６の姿勢位置の設定との組合せによって上記条件を得られる。比較的簡素な構成ですみ、コストに与える影響を抑制できる。
【００２６】
また、除湿運転時においても、フラットパネル６を半開モードの位置姿勢に設定したうえで、第１、第２の上部水平ルーバＡ１，Ａ２の向きを制御することで、熱交換空気の吹出方向および熱量を吹出し口４の左右側部で異ならせることができる。  
図５（Ａ）（Ｂ）は除湿運転時の送風方向制御の状態を説明する図である。ここでも、図５（Ａ）は第１の上部水平ルーバＡ１部分を断面にした図であり、図５（Ｂ）は第２の上部水平ルーバＡ２部分を断面にした図である。  
このとき上記制御部Ｓは、先に図２で示したように、四方切換え弁２２を冷房運転モードと同方向に切換えるとともに、電子膨張弁２４を全開とする。その一方で、除湿弁１０を絞り制御したうえで、圧縮機２１と室内送風機１２の運転を開始し、室外送風機２５は停止する。
【００２７】
圧縮機２１で圧縮された高温高圧の冷媒ガスは、四方切換え弁２２を介して室外熱交換器２３に導かれる。このとき、室外送風機２５の運転が停止されているため、室外熱交換器２３ではほとんど熱交換が行われない。冷媒はガス状のままで全開の電子膨張弁２４を流通し、室内熱交換器９に導入される。  
具体的には、はじめに後側熱交換器部９Ｂと前側熱交換器部９Ａの上半分からなる第１の熱交換器部Ｕに導かれて、冷媒ガスが凝縮される。すなわち、ハッチングで示す第１の熱交換器部Ｕは再熱器として機能する。  
全ての冷媒ガスが第１の熱交換器部Ｕで凝縮され液冷媒となったあと、液冷媒は除湿弁１０に導かれて減圧膨張し、さらに前側熱交換器部９Ａの下半分から構成される第２の熱交換器部Ｄに導かれ蒸発する。したがって、交差ハッチングで示す第２の熱交換器部Ｄは蒸発器（除湿部）として機能する。
【００２８】
一方、室内熱交換器９を流通する室内空気のうちの一部は、第１の熱交換器部Ｕにおいて凝縮熱を吸収し、温度上昇して図中一点鎖線矢印で示すように暖気に換る。さらに、室内熱交換器９を流通する室内空気の残り一部は、第２の熱交換器部Ｄにおいて蒸発潜熱を奪われ、温度下降して図中破線矢印に示すように冷気に換る。  
具体的には、図５（Ａ）に示すように、上記吹出し口４の向って左半分において、第１の上部水平ルーバＡ１を略水平姿勢に保持する。室内空気の一部は、第２の熱交換器部Ｄを流通して冷気となり、第１の上部水平ルーバＡ１上面と吹出し口４上面との間から吹出される。
【００２９】
フラットパネル６が半開モード姿勢にあるので、冷気はフラットパネル６の下端部６ａ内面に衝突してから上部へ流れ、前面吸込み口３との対向部位に上昇したところで再び室内機本体１内に吸込まれる。すなわち、冷気は送風路１５から第１の上部水平ルーバＡ１に案内されてショートサーキット状態に循環し、室内へはほとんど吹出されない。  
これに対して、第１の熱交換器部Ｕで熱交換して得られた暖気は、送風路１５を介して第１の上部水平ルーバＡ１下面と下部水平ルーバ８上面との間から室内へ吹出されるとともに、下部水平ルーバ８下面と吹出し口４下面との間から室内へ吹出される。そのため、吹出し口４の向って左半分からは、ショートサーキット状態で循環する冷気の分だけ風量が制限され、暖かい状態に再熱除湿された熱交換空気が吹出される。
【００３０】
一方、制御部Ｓは、図５（Ｂ）に示すように、吹出し口４の右半分において第２の上部水平ルーバＡ２を下部水平ルーバ８と略平行な斜め下方の姿勢に回動制御する。前面吸込み口３に吸込まれた室内空気の一部は、第２の熱交換器部Ｄと熱交換して冷気に変る。フラットパネル６は半開モードの姿勢位置にあるが、冷気は図中破線矢印に示すように、第２の上部水平ルーバＡ２上面と吹出し口４上面との間から室内へ吹出される。  
また、室内空気は第１の熱交換器部Ｕに導かれ、熱交換して暖気に変る。この暖気は、図中一点鎖線矢印に示すように、第１の上部水平ルーバＡ１下面と下部水平ルーバ８の上面との間から吹出されるとともに、下部水平ルーバ８の下面と吹出し口４下面との間から室内へ吹出される。  
したがって、吹出し口４の右半分においては、室内熱交換器９の第２の熱交換器部Ｄと熱交換して得られた冷気と、第１の熱交換器部Ｕと熱交換して得られた暖気とが混合した状態で室内へ吹出される。
【００３１】
先に説明したように、吹出し口４の左半分から吹出される熱交換空気はほとんど冷気がなくて暖気ばかりとなり、比較的高い温度であるのと比較して、吹出し口４の右半分から吹出される熱交換空気は冷気と暖気が略半分ずつとなるので、比較的低い温度の状態となる。  
ここでも、室内機本体１の吹出し口４から室内へ吹出される際の熱交換空気温度は、室内熱交換器９との熱交換温度に依存することには変りがないから、吹出し口４の左半分において冷気をショートサーキット状態とさせた分だけ、吹出し口４の右半分よりも吹出し風量が少なくなる。
【００３２】
したがって、吹出し口４から吹出される熱交換空気の熱量が左右部分で異なるとともに、熱交換空気の到達距離が左右で異なり、吹出し方向にある居住空間部分の再熱除湿温度を左右で異ならせることができる。たとえば、居住空間の一側部にあるダイニングスペースを比較的高い温度に設定したうえで除湿し、他側部にあるリビングスペースを比較的低い温度に設定したうえで除湿することが可能である。  
このような設定条件は、少なくとも上部水平ルーバ７を左右に分割し、それぞれの分割した上部水平ルーバＡ１，Ａ２を独立して回動制御し、かつフラットパネル６に対する姿勢位置の設定との組合せによって得られることとなり、比較的簡素な構成ですみコストに与える影響を抑制できる。
【００３３】
なお上述の実施の形態において、上部水平ルーバ７のみ室内機本体１の長手方向に沿って複数に分割したが、これに限定されるものではなく、図６に示すように、室内機本体の長手方向に沿って複数に分割した下部水平ルーバＢ１，Ｂ２であってもよい。  
このときの下部水平ルーバＢ１，ＢＢ２の分割位置は、上部水平ルーバＡ１，Ａ２と同一に揃える必要があるが、必ずしも上下の分割水平ルーバＡ１−Ｂ１，Ａ２−Ｂ２を同一の回動姿勢に保持することはなく、必要に応じて互いに角度を異ならせ、きめの細かい制御をなすようにするとよい。
【００３４】
また、前面吸込み口３に対向して全閉、全開、半開の各モード状態に姿勢制御可能なフラットパネル６を備えたが、全閉と全開のみに姿勢制御可能なものでもよく、あるいは、前面吸込み口を常時開放する固定式のフラットパネルでも良い。さらには、単純に吸込みグリルを嵌め込んだ前面吸込み口３であってもよい。要は、上部水平ルーバ７が熱交換空気を前面吸込み口３に吸込ませてショートサーキットできる構成とすればよい。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３５】
【図１】本発明における一実施の形態に係る、空気調和機を構成する室内機の外観斜視図。
【図２】同実施の形態に係る、室内機の概略縦断面図。
【図３】同実施の形態に係る、空気調和機の冷凍サイクル構成図。
【図４】同実施の形態に係る、冷房運転時と暖房運転時において吹出し口の左側部と右側部から吹出される熱交換空気の状態を説明する図。
【図５】同実施の形態に係る、除湿運転時において吹出し口の左側部と右側部から吹出される熱交換空気の状態を説明する図。
【図６】同実施の形態の変形例に係る、室内機の外観斜視図。
【符号の説明】
【００３６】
３…前面吸込み口、４…吹出し口、１…室内機本体、９…室内熱交換器、１２…送風機、７…上部水平ルーバ、Ａ１…第１の上部水平ルーバ、Ａ２…第２の上部水平ルーバ、８…下部水平ルーバ、Ｓ…制御部（制御手段）、Ｕ…第１の熱交換器部、Ｄ…第２の熱交換器部、１０…除湿弁（除湿用絞り機構）。
【図１】
0004641249.tif 000002
【図２】
0004641249.tif 000003
【図３】
0004641249.tif 000004
【図４】
0004641249.tif 000005
【図５】
0004641249.tif 000006
【図６】
0004641249.tif 000007